(57)【特許請求の範囲】
【請求項１】
ドライバーユニットが外耳道に正対するように上記ドライバーユニットを内蔵するハウジングを耳内に挿入して使用するバーチカルタイプのヘッドホンに使用されるイヤーパッド であって、
上記ハウジングの正面側に配されるシート状の第１の部材と、
上記ハウジングの背面側に配されるシート状の第２の部材とを備え、
上記第１及び第２の部材が、外周縁部を互いに接着されて袋状の被覆部を成し、
上記被覆部で接着された部分以外を非接着部とすると、
当該非接着部が上記ハウジングを挿入するための開口部を構成することを特徴とするイヤーパッド。
【発明の詳細な説明】
【０００１】
【発明の属する技術分野】
この発明は、バーチカルタイプのヘッドホンのハウジングに装着するイヤーパッドに関する。詳しくは、ドライバーユニットを内蔵するハウジングを覆う被覆部と、ハウジングの側面側より挿入するための開口部とを備える構成とすることによって、バーチカルタイプのヘッドホンのハウジングに容易に装着できるようにしたイヤーパッドに係るものである。
【０００２】
【従来の技術】
軽量タイプのヘッドホンには、一般に、ドライバーユニットが内蔵されたハウジングを耳にのせて使用する耳のせタイプのヘッドホンと、ドライバーユニットが外耳道に正対するように上記ハウジングを耳内に挿入して使用するバーチカルタイプのヘッドホンがある。
【０００３】
図１０は、耳のせタイプのヘッドホンの一例を示している。このヘッドホン１０は、ドライバーユニット（図示せず）を内蔵する左右のハウジング１１Ｌ、１１Ｒと、これらハウジング１１Ｌ、１１Ｒをそれぞれ支持する左右のハンガー１２Ｌ、１２Ｒと、これらハンガー１２Ｌ、１２Ｒを摺動自在に固定するヘッドバンド１３と、音響機器に接続するためのプラグ１４と、このプラグ１４よりハウジング１１Ｌ、１１Ｒに内蔵されたドライバーユニットに音声信号を供給するケーブル１５とから構成されている。
【０００４】
この場合、ハンガー１２Ｌ、１２Ｒは、それぞれハウジング１１Ｌ、１１Ｒをドライバーユニットの背面側に対応する部位で支持する構成となっている。そして、ハウジング１１Ｌ、１１Ｒには、図１１に示すように、正面側および側面周囲を覆うようにイヤーパッド１６Ｌ、１６Ｒが装着されている。なお、図１１において、１７Ｌは、ドライバーユニットである。ハウジング１１Ｌ、１１Ｒをイヤーパッド１６Ｌ、１６Ｒで被覆することで、耳への装着感の向上、外部への音漏れ防止等が図られている。
【０００５】
次に、図９は、バーチカルタイプのヘッドホンの一例を示している。このヘッドホン２０は、ドライバーユニット（図示せず）を内蔵する左右のハウジング２１Ｌ、２１Ｒと、これらハウジング２１Ｌ、２１Ｒをそれぞれ支持する左右のハンガー２２Ｌ、２２Ｒと、これらハンガー２２Ｌ、２２Ｒを摺動自在に固定するヘッドバンド２３と、音響機器に接続するためのプラグ２４と、このプラグ２４よりハウジング２１Ｌ、２１Ｒに内蔵されたドライバーユニットに音声信号を供給するケーブル２５とから構成されている。
【０００６】
上述したように、バーチカルタイプのヘッドホンは、ドライバーユニットが外耳道に正対するようにハウジングを耳内に挿入して使用するものであり、ハンガー２２Ｌ、２２Ｒを、ドライバーユニットの側面に対応する部位で支持する構成となっている。
【０００７】
【発明が解決しようとする課題】
上述したバーチカルタイプのヘッドホン２０のハウジング２１Ｌ、２１Ｒに装着するイヤーパッドは従来存在していない。上述したように、ハウジング２１Ｌ、２１Ｒの側面がそれぞれハンガー２２Ｌ、２２Ｒで支持される構成となっているため、ハウジング１１Ｌ、１１Ｒの背面がそれぞれハンガー１２Ｌ、１２Ｒで支持される構成の図１０に示す耳のせタイプのヘッドホン１０におけるイヤーパッド１６Ｌ、１６Ｒと同様のイヤーパッドを装着することはできない。
【０００８】
ハウジング２１Ｌ、２１Ｒにイヤーパッドが装着されていない場合、例えば、バーチカルタイプのヘッドホン２０を航空機内で乗客サービスとして使用する場合、上述したようにハウジング２１Ｌ、２１Ｒを直接耳内に挿入して使用するものであるため、衛生面での問題が生じる。また、ハウジング２１Ｌ、２１Ｒにイヤーパッドが装着されていない場合、装着感が低下するという不都合もある。
【０００９】
そこで、この発明では、バーチカルタイプのヘッドホンのハウジングに容易に装着し得るイヤーパッドを提供することを目的とする。
【００１０】
【課題を解決するための手段】
この発明に係るイヤーパッドは、ドライバーユニットが外耳道に正対するようにドライバーユニットを内蔵するハウジングを耳内に挿入して使用するバーチカルタイプのヘッドホンに使用されるイヤーパッドであって、ハウジングの正面側に配されるシート状の第１の部材と、ハウジングの背面側に配されるシート状の第２の部材とを備え、第１及び第２の部材が、外周縁部を互いに接着されて袋状の被覆部を成し、被覆部で接着された部分以外を非接着部とすると、当該非接着部がハウジングを挿入するための開口部を構成することを特徴とするイヤーパッドである。
【００１１】
この発明において、イヤーパッドは開口部を有する袋状のものとなる。ハウジングをその開放されている側面側より開口部を通してイヤーパッドの内部に挿入することで、イヤーパッドをハウジングに容易に装着し得る。
【００１２】
ヘッドホンを使用する都度、イヤーパッドを交換することで、バーチカルタイプのヘッドホンの衛生面での管理が容易となる。また、ハウジングにイヤーパッドを装着することで、バーチカルタイプのヘッドホンの装着感が向上する。
【００１３】
また、上記イヤーパッドはドライバーユニットの正面側または背面側に対向する一部分を切り欠いても構わない。
【００１４】
【発明の実施の形態】
以下に図面を参照しながら、この発明の実施の形態について説明する。図１Ａおよび図１Ｂは、それぞれ実施の形態としてのイヤーパッド３０の斜視図および平面図を示している。このイヤーパッド３０は、バーチカルタイプのヘッドホンのハウジングに装着されるものである。
【００１５】
このイヤーパッド３０は、ヘッドホンのドライバーユニットが内蔵されたハウジングを覆う被覆部５２ｃと、ハウジングを開放されている側面側より挿入するための開口部５２ｂとを有している。被覆部５２ｃは、ドライバーユニットの正面側に配される第１の部材５２ｃ1とその背面側に配される第２の部材５２ｃ2とからなり、開口部５２ｂを除く部位の外周縁５２ａがある面寸法で接着された構成となっている。
【００１６】
ここで、イヤーパッド３０の被覆部５２ｃの素材としては、例えばウレタンフォームなどの多泡性物質が使用されている。ウレタンフォームの有する特性は弾力・伸縮性、感触性に富んでいることである。この特性はヘッドホンのイヤーパッドの素材に用いるのに大変適している。すなわち弾力・伸縮性はパッドの装着性を高めるものであり、感触性はイヤーパッドが耳の肌への感触性を向上させるものである。
【００１７】
次に、上述したイヤーパッド３０の製造方法について説明する。図２はイヤーパッド３０の製造工程を示している。イヤーパッド３０の製造工程は大きく分けて二つの工程からなる。すなわち、接着切断工程Ａを経て、中央切断工程Ｂに移る。各工程について以下に詳細を説明する。
【００１８】
（Ａ）接着切断工程（図２Ａ参照）
ウレタンフォームなどの素材シート５１を上下に２枚重ね合わせて、受け治具としてのベース６０の上に載せ、上方より接着工具４０で押圧し、外周縁５１ａとなるべき箇所を接着しながら略楕円形状のパッド５２を切断して得る。
【００１９】
ここで接着工具４０は図３に示すように、中空形状で下面外側に切断刃４０ａが形成されていると共に、その内側に平坦な接着面４０ｂが形成されている。図４には接着されたパッド５２の外周縁５２ａを拡大して図示するものである。図に示すように、切断された素材シート５１の外周縁の端部より、接着工具４０の接着面４０ｂに相当する接着面の寸法をもって、上下の素材シート５１が接着される。この接着工具４０による接着は、高周波ウエルダー（超音波接着）や加熱（熱融着）などにより行われる。また実際のイヤーパッドの量産時においては、図５にパッド５２の切断跡５３を示すように、多数個のパッド５２が同時に製造されるように、幅の広い素材シート５１が用いられる。
【００２０】
（Ｂ）中央切断工程（図２Ｂ参照）
接着切断工程で製造されたパッド５２を、その長手方向を左右にして、その中心で左右対称に切断する。切断されたパッドは一対で左右のイヤーパッド３０、３０となる。
【００２１】
図６は、上述の製造方法によって製造されたイヤーパッド３０をバーチカルタイプのヘッドホンのハウジング２１Ｌに装着する際の様子を示している。図６に示すように、ヘッドホンのハウジング２１Ｌをその開放されている側面側よりイヤーパッド３０の開口部５２ｂを通して内部に挿入することで、人の手で容易に装着できる。図７は、装着後の状態を示している。なお、図６、図７は左側のみを示している。
【００２２】
上述したように、この発明によるイヤーパッドは、ヘッドホンのハウジングを挿入するために、その一端が開口されていて、袋状に形成されている。また、弾力・伸縮性を有する素材が用いられているため、ヘッドホンのハウジングに人の手で容易に装着できると共に、同じく取り外しも容易に行うことができる。
【００２３】
なお、上述の実施の形態においてイヤーパッド３０は、ハウジング２１の正面側および背面側を全面的に被覆するものであるが、ハウジング２１に内蔵されるドライバーユニットの正面側または背面側に対向する一部分を切り欠くことも考えられる。図８に示すイヤーパッド３０ａは、ハウジング２１Ｒに内蔵されるドライバーユニットの正面側に対向する一部分に切り欠き部５４を設けたものである。このイヤーパッド３０ａは、ドライバーユニットの正面側に対向する部分に切り欠き部５４を設けることにより、ドライバーユニットより発生される音声が、イヤーパッド３０ａの素材に阻害されることなく、直接的に外耳道内に放射されるので高音域の品質を落とすことがなくなるという利益がある。
【００２４】
また、上述した実施の形態においては、イヤーパッド３０の形状を半楕円形状としたものであるが、これに限定されるものではなく、ハウジングの形状に、合わせたものとするを可とする。
【００２５】
【発明の効果】
この発明によれば、ドライバーユニットを内蔵するハウジングを覆う被覆部と、ハウジングの側面側より挿入するための開口部とを備える構成としたイヤーパッドであり、バーチカルタイプのヘッドホンのハウジングに容易に装着できる。イヤーパッドをハウジングに装着することにより、耳への装着感が向上する。またヘッドホンの不特定多数の利用の場合においては、ヘッドホンを使用の都度、イヤーパッドを交換することで、衛生管理面での管理が容易となる。
【図面の簡単な説明】
【図１】この発明のイヤーパッドの外観を示す図である。
【図２】イヤーパッドの製造工程を説明する図である。
【図３】接着工具の切断刃の部分を拡大して示す図である。
【図４】イヤーパッドの外周縁部分を拡大して示す図である。
【図５】イヤーパッドの量産時に使用する素材シートを説明する図である。
【図６】この発明のイヤーパッドをハウジングに装着する際の様子を示す図である。
【図７】ハウジングに装着されたイヤーパッドの外観を示す図である。
【図８】切り欠き部を設けたイヤーパッドの外観を示す図である。
【図９】従来のバーチカルタイプのヘッドホンの外観を示す図である。
【図１０】従来の耳のせタイプのヘッドホンの外観を示す図である。
【図１１】従来の耳のせタイプのヘッドホンのハウジング部を拡大して示す図である。
【符号の説明】
１０  耳のせタイプのヘッドホン
１１，２１  ハウジング
１６，３０  イヤーパッド
２０  バーチカルタイプのヘッドホン
４０  接着工具
４０ａ  切断刃
４０ｂ  接着面
５１  素材シート
５２  パッド
５２ａ  外周縁
５２ｂ  開口部
５２ｃ  被覆部
５４  切り欠き部
【図１】
0003937609.tif 000002
【図２】
0003937609.tif 000003
【図３】
0003937609.tif 000004
【図４】
0003937609.tif 000005
【図５】
0003937609.tif 000006
【図６】
0003937609.tif 000007
【図７】
0003937609.tif 000008
【図８】
0003937609.tif 000009
【図９】
0003937609.tif 000010
【図１０】
0003937609.tif 000011
【図１１】
0003937609.tif 000012